(57)【特許請求の範囲】
【請求項１】
入力すべき映像信号を切り換える映像切換回路と、この映像切換回路から出力された映像信号に黒ミュート信号を重ね合わせるスーパー表示回路と、このスーパー表示回路からの映像信号を表示する液晶表示器と、この液晶表示器のバックライト電源と、入力された映像切換信号に基づいて前記映像切換回路に映像切換指示を与えて入力すべき映像信号を切換え、前記スーパー表示回路に黒ミュート信号表示指示を出力するとともに前記バックライト電源に対しバックライト電源ＯＦＦ指示信号を出力し、所定時間経過後、黒ミュート信号表示指示を解除するとともにバックライト電源ＯＮ指示信号を出力する制御部とを備えた液晶表示装置。
【請求項２】
所定時間は映像切換処理により生じたノイズ画像の消滅時間としたことを特徴とする請求項１記載の液晶表示装置。
【発明の詳細な説明】
【０００１】
【発明の属する技術分野】
この発明は例えば車両に搭載されたカーナビゲーション（以下、カーナビと略称する）の液晶表示装置のようにナビ画像とテレビ画像のように異なる映像を切換表示する液晶表示装置に関するものである。
【０００２】
【従来の技術】
従来、画像表示装置としては、ＣＲＴが広く使用されているが、このＣＲＴは表示画面の厚み方向の寸法を必要とするため、全体としてその容積が大きくなり、車両等の限られた空間内に設置することは困難であるとともに、設置場所、形態等の自由度が損なわれる。
【０００３】
このため、車両においては、表示装置全体の小型化、薄型化を図ることができる液晶表示器をカーナビの表示装置として用い、カーナビの不使用時は、画像切換を行ってテレビ画像を見ることができるようになっている。この場合、ナビ画像をテレビ画像に切り換えるとき、画像変換処理により生じるノイズ画像が表示画面に見えるようになる。そこで、このノイズ画像が見えないように表示画像の切換時、液晶表示器のバックライトを消灯することが行われている。
【０００４】
【発明が解決しようとする課題】
従来の液晶表示装置は以上のように構成されているので、図３に示すように、外部からの入射光がない場合は、バックライトを消灯することにより、ノイズ画像が液晶表示器に入力されていても表示画面に画像が見えないが、図４に示すように、外部からの入射光がある場合は、バックライトが消灯していても、ノイズ画像が入力されていれば、表示画面に画像Ｇが見えるという課題があった。
【０００５】
この発明は上記のような従来の課題を解消するためになされたもので、ハード的な特別な装置を用いることなく、外部からの入射光がある場合においても確実に表示画面に画像が見えないようにした液晶表示装置を得ることを目的とする。
【０００６】
【課題を解決するための手段】
この発明に係る液晶表示装置は、入力すべき映像信号を切り換える映像切換回路と、この映像切換回路から出力された映像信号に黒ミュート信号を重ね合わせるスーパー表示回路と、このスーパー表示回路からの映像信号を表示する液晶表示器と、この液晶表示器のバックライト電源とを備え、制御部は入力された映像切換信号に基づいて映像切換回路に映像切換指示を与えて入力すべき映像信号を切換え、スーパー表示回路に黒ミュート信号表示指示を出力するとともにバックライト電源に対しバックライト電源ＯＦＦ指示信号を出力し、所定時間経過後、黒ミュート信号表示指示を解除するとともにバックライト電源ＯＮ指示信号を出力するものである。
【０００７】
この発明に係る液晶表示装置は、所定時間を映像切換処理により生じたノイズ画像の消滅時間としたものである。
【０００８】
【発明の実施の形態】
以下、この発明の実施の一形態を説明する。
実施の形態１．
図１はこの発明の実施の形態１による液晶表示装置の回路構成図である。図において、１はカーナビの映像信号Ｎとテレビの映像信号Ｔの入力を切り換える映像切換回路、２はこの映像切換回路１から出力された映像信号Ｎまたは映像信号Ｔにスーパーインポーズ機能によって黒ミュート信号を重ね合わせ、表示画面全体を黒背景とするスーパー表示回路、３はスーパー表示回路２から供給された映像信号Ｎまたは映像信号Ｔを表示する液晶表示器、４は液晶表示器３のバックライト電源、５は例えばマイクロコンピュータで構成された制御部であり、この制御部５は、使用者による切換選択操作によって、外部から供給された映像切換信号を受けると、スーパー表示回路２に黒ミュート信号表示指示を出力するとともにバックライト電源４にＯＦＦ指示信号を出力し、所定時間経過後は、黒ミュート信号表示指示を解除するとともにバックライト電源４のＯＮ指示信号を出力する。
【０００９】
次に動作について説明する。
制御部５は使用者による切換選択操作によって、外部から供給された映像切換信号が入力されると、スーパー表示回路２に黒ミュート信号表示指示を出力するとともにバックライト電源４にＯＦＦ指示信号を出力する。スーパー表示回路２は、黒ミュート信号表示指示に基づいて、映像信号にスーパーインポーズ機能によって黒ミュート信号を重ね合わせ、表示画面全体を黒背景とする。また、バックライト電源４は、ＯＦＦ指示信号に基づいてバックライトをＯＦＦする。この結果、画像変換処理により生じたノイズ画像が液晶表示器３に入力されており、外部からの入射光があっても、図２に示すように、表示画面は完全な黒ミュート画面となって、ノイズ画像は見えないものである。
【００１０】
一方、制御部５は入力された映像切換信号に基づいて、映像切換回路１に映像切換指示を与え、入力すべき映像信号を切り換える。そして、制御部５は所定時間経過後、つまり画像切換処理により生じるノイズ画像が消滅するのに要する時間、例えば０．５秒経過後、スーパー表示回路２に黒ミュート信号表示ＯＦＦ指示を出力するとともにバックライト電源４にＯＮ指示信号を出力する。スーパー表示回路２は黒ミュート信号表示ＯＦＦ指示に従い、スーパーインポーズ機能によって黒ミュート信号の重ね合わせ表示を解除する。また、バックライト電源４は、ＯＮ指示信号に従いバックライトをＯＮすることにより、画像切換後の映像を表示画面に表示することができる。
【００１１】
以上のように、この実施の形態１によれば、画像切換時に映像信号に黒ミュート信号を重ね合わせ、かつ、バックライトをＯＦＦすることにより、完全な黒画面ミュートが実現できる。
【００１２】
一方、バックライト電源と液晶表示器電源の両方を遮断し、完全に表示画面を消してしまうミュートも考えられるが、この場合は、液晶表示器電源を遮断した後に、しばらく残像が見える可能性があり、上記のようにスーパーインポーズ機能を利用した方が完全な黒画面ミュート、つまり完全に画面を見えなくすることが有効である。
また、カーナビゲーション画像とテレビ画像との切換の場合だけでなく、エアコン表示画像とテレビ画像や、カーナビゲーション画像とＤＶＤ再生可能などの切換の場合においても効果を奏するものである。
【００１３】
【発明の効果】
以上のように、この発明によれば、制御部は外部からの映像切換信号を受けると、スーパー表示回路に黒ミュート信号表示指示を出すとともにバックライト電源ＯＦＦ指示信号を出力し、所定時間経過後、黒ミュート信号表示指示を解除するとともにバックライト電源ＯＮ指示信号を出力するように構成したので、ハード的な特別な装置を用いることなく表示画面全体を黒背景表示とすることができ、簡単な構成で表示画像の切換時に生じるノイズ画像表示を防止することができる。また、バックライトを消すことにより、表示画面全体が黒光りするため、見る者に違和感を与えることがない等の効果がある。
【００１４】
この発明によれば、所定時間を映像切換処理により生じたノイズ画像の消滅時間としたので、切り換えた画像にノイズ画像が現れることを確実に防止することができる効果がある。
【図面の簡単な説明】
【図１】  この発明の実施の形態１による液晶表示装置の回路構成図である。
【図２】  表示画像の切換時におけるこの発明の実施の形態１による液晶表示器の表示状態図である。
【図３】  従来の液晶表示器の外部からの入射光のない場合の表示状態図である。
【図４】  従来の液晶表示器の外部からの入射光がある場合の表示状態図である。
【符号の説明】
１  映像切換回路、２  スーパー表示回路、３  液晶表示器、４  バックライト電源、５  制御部。
【図１】
0004545276.tif 000002
【図２】
0004545276.tif 000003
【図３】
0004545276.tif 000004
【図４】
0004545276.tif 000005